(57)【要約】      （修正有）【課題】温度センサの組み付け作業の簡素化を図る。【解決手段】本明細書によって開示されるコネクタは、電線Ｗが接続された端子と、端子を収容するハウジング２０と、ハウジング２０の端子収容部に収容された端子を抜け止めした状態で電線Ｗを収容するリテーナ４０と、リテーナ４０に設けられたセンサ収容部に収容される温度センサと、リテーナ４０に組み付けられるホルダ８０とを備えた充電インレット１０であって、ホルダ８０は、大型分割体７５とヒンジ７２を介して連結された２つの小型分割体７０とによって構成されており、小型分割体７０と大型分割体７５とは、小型分割体７０と大型分割体７５との間に電線Ｗを挿通させた状態でセンサ収容部に収容された温度センサを抜け止めする構成とした。【選択図】図３
2019114517.tif 000002
【特許請求の範囲】
【請求項１】
電線が接続された端子と、
前記端子を収容するハウジングと、
前記ハウジング内に収容された前記端子を抜け止めした状態で前記ハウジングから引き出される前記電線を収容するリテーナと、
前記電線に沿わせて配置され、前記リテーナに設けられたセンサ収容部に収容される温度センサと、
前記リテーナに組み付けられるホルダとを備え、
前記ホルダは、複数の分割体で構成され、前記複数の分割体のうち隣り合う分割体はヒンジを介して連結されており、
前記複数の分割体は、隣り合う前記分割体との間に前記電線を挿通させた状態で前記センサ収容部に収容された前記温度センサを抜け止めするコネクタ。
【請求項２】
前記隣り合う分割体は、前記隣り合う分割体のうちの一方の前記分割体が前記ヒンジを支点に回動するようにして他方の前記分割体に組み付けられるようになっており、
前記他方の分割体には、前記一方の分割体を回動させて前記他方の分割体に組み付ける過程において、前記一方の分割体が正規の回動軌道から位置ずれした際に、前記一方の分割体を正規の組付位置に案内するガイド部が設けられている請求項１に記載のコネクタ。
【請求項３】
前記一方の分割体は、前記他方の分割体に設けられた被係止枠内に挿入されて前記被係止枠に係止する弾性変形可能な弾性係止片が設けられており、
前記ガイド部は、前記一方の分割体が正規の回動軌道から位置ずれした際に、前記弾性係止片を前記被係止枠内に向けて案内する請求項２に記載のコネクタ。
【請求項４】
前記他方の分割体は、前記電線を配置する電線配置部を複数有しており、
前記一方の分割体は、前記電線を介して前記電線配置部と対向するように前記他方の分割体にそれぞれ組み付けられるようになっている請求項２または請求項３に記載のコネクタ。
【請求項５】
前記一方の分割体は、前記ヒンジが設けられた側の端部に設けられ、前記他方の分割体において前記一方の分割体における回動方向と交差する方向の面と摺動して前記一方の分割体を正規の組付位置に案内する補助ガイド部が設けられている請求項２から請求項４のいずれか一項に記載のコネクタ。
【請求項６】
前記分割体には、隣り合う前記分割体を互いに組み付ける方向と交差する方向に互いに当たり合うことで、隣り合う前記分割体同士の合わせ位置が位置ずれすることを抑制する位置ずれ防止部が設けられている請求項２から請求項５のいずれか一項に記載のコネクタ。
【発明の詳細な説明】
【技術分野】
【０００１】
本明細書によって開示される技術は、コネクタに関する。
【背景技術】
【０００２】
例えば、温度センサを備えたコネクタとして、例えば、特開２００２−３５２６３５号公報（下記特許文献１）に記載のものが知られている。このコネクタは、
金属端子と、温度センサとしてのサーミスタと、金属端子とサーミスタとに接触した状態に配置される絶縁性熱伝導材とを備えており、金属端子にて発生する熱が絶縁性熱伝導材を介してサーミスタに伝達される。
【０００３】
また、この種のコネクタでは、電線の温度を正解に測定するために、電線が挿入される筒部内に温度センサを収容し、温度センサを電線に沿わせて配置することによって電線の温度を検出する。
【先行技術文献】
【特許文献】
【０００４】
【特許文献１】特開２００２−３５２６３５号公報
【発明の概要】
【発明が解決しようとする課題】
【０００５】
ところで、筒部に温度センサを収容して電線の温度を検出する場合、温度センサの抜け止めとして筒部に電線挿通孔を有するホルダを装着し、電線挿通孔の周縁部において温度センサの抜けを防止する方法が考えられる。しかしながら、筒部にホルダを装着する場合、ホルダの電線挿通孔に対して電線を先通しする作業が必要となり、ホルダの装着作業が煩雑になってしまう。
【０００６】
本明細書では、温度センサの組み付け作業の簡素化を図る技術を開示する。
【課題を解決するための手段】
【０００７】
本明細書によって開示される技術は、電線が接続された端子と、前記端子を収容するハウジングと、前記ハウジング内に収容された前記端子を抜け止めした状態で前記ハウジングから引き出される前記電線を収容するリテーナと、前記電線に沿わせて配置され、前記リテーナに設けられたセンサ収容部に収容される温度センサと、前記リテーナに組み付けられるホルダとを備えたコネクタであって、前記ホルダは、複数の分割体で構成され、前記複数の分割体のうち隣り合う分割体はヒンジを介して連結されており、前記複数の分割体は、隣り合う前記分割体との間に前記電線を挿通させた状態で前記センサ収容部に収容された前記温度センサを抜け止めする構成とした。
【０００８】
このような構成のコネクタによると、複数の分割体で電線を囲うようにホルダを構成し、このようなホルダをリテーナに組み付けることで、センサ収容部に対して温度センサを抜け止めできる。これにより、電線の温度の測定精度を向上させることができると共に、温度センサの組み付け作業の簡素化を図ることができる。
【０００９】
本明細書によって開示されるコネクタは、以下の構成としてもよい。
前記隣り合う分割体は、隣り合う分割体のうちの一方の前記分割体が前記ヒンジを支点に回動するようにして他方の前記分割体に組み付けられるようになっており、前記他方の分割体には、前記一方の分割体を回動させて前記他方の分割体に組み付ける過程において、前記一方の分割体が正規の回動軌道から位置ずれした際に、前記一方の分割体を正規の組付位置に案内するガイド部が設けられている構成としてもよい。
【００１０】
このような構成によると、一方の分割体が正規の回動軌道から位置ずれした場合でも、一方の分割体をガイド部によって正規の組付位置に案内し、隣り合う分割体を正しく組み付けることができる。これにより、温度センサの抜け止めを図ることができ、温度センサによって電線の温度を測定することができる。
【００１１】
前記一方の分割体は、前記他方の分割体に設けられた被係止枠内に挿入されて前記被係止枠に係止する弾性変形可能な弾性係止片が設けられており、前記ガイド部は、前記一方の分割体が正規の回動軌道から位置ずれした際に、前記弾性係止片を前記被係止枠内に向けて案内する構成としてもよい。
【００１２】
このような構成によると、弾性変形可能な弾性係止片を係止枠内に案内し、係止片と被係合枠とを係止させることができる。すなわち、ヒンジが不正に屈曲したり、弾性係止片が不正に弾性変形したりすることにより、弾性係止片が位置ずれし易い場合であっても、隣り合う分割体を正しく組み付けることができ、温度センサの抜け止めを図ることができる。
【００１３】
前記他方の分割体は、前記電線を配置する電線配置部を複数有しており、前記一方の分割体は、前記電線を介して前記電線配置部と対向するように前記他方の分割体にそれぞれ組み付けられるようになっている構成としてもよい。
【００１４】
このような構成によると、他方の分割体の複数の電線配置部において複数の電線を配置することができるから、一方の分割体と他方の分割体とがそれぞれ１対１で対応して設けられる場合に比べて、部品点数を少なくすることができ、ホルダの組み付け作業を簡素化することができる。
【００１５】
前記一方の分割体は、前記ヒンジが設けられた側の端部に設けられ、前記他方の分割体において前記一方の分割体における回動方向と交差する方向の面と摺動して前記一方の分割体を正規の組付位置に案内する補助ガイド部が設けられている構成としてもよい。
【００１６】
このような構成によると、一方の分割体における補助ガイド部と、他方の分割体の摺動面とが摺動して一方の分割体が交差する方向に位置ずれすることを抑制することができる。また、補助ガイド部が、ヒンジが設けられた側の端部に設けられているから、ヒンジから離れた位置に設けられる場合に比べて、一方の分割体の回動初期の時点から、一方の分割体が位置ずれすることを抑制することができる。
【００１７】
前記分割体には、隣り合う前記分割体を互いに組み付ける方向と交差する方向に互いに当たり合うことで、隣り合う前記分割体同士の合わせ位置が位置ずれすることを抑制する位置ずれ防止部が設けられている構成としてもよい。
【００１８】
このような構成によると、位置ずれ防止部が隣り合う分割体を互いに組み付ける方向と交差する方向に互いに当たり合うことで、分割体同士の合わせ位置が交差する方向に位置ずれすることを抑制することができ、温度センサの抜け止めを図ることができる。
【発明の効果】
【００１９】
本明細書によって開示される技術によれば、温度センサの組み付け作業の簡素化を図ることができる。
【図面の簡単な説明】
【００２０】
【図１】充電インレットの正面図
【図２】充電インレットの側面図
【図３】充電インレットの背面図
【図４】図３におけるＡ−Ａ線断面図
【図５】リテーナにホルダを組み付ける前の状態を示したハウジングの背面図
【図６】小型分割体を大型分割体に組み付ける前の状態を示すホルダの正面図
【図７】小型分割体を大型分割体に組み付ける前の状態を示すホルダの平面図
【図８】小型分割体を大型分割体に組み付ける前の状態を示すホルダの側面図
【図９】小型分割体を大型分割体に組み付ける前の状態を示すホルダの背面図
【図１０】小型分割体を大型分割体に組み付ける前の状態を示すホルダの底面図
【図１１】小型分割体を大型分割体に組み付ける過程を示した正面図
【図１２】小型分割体を大型分割体に組み付けてホルダを構成した状態を示す正面図
【図１３】図１２におけるＢ−Ｂ線断面図
【発明を実施するための形態】
【００２１】
＜実施形態＞
本明細書に開示された技術における一実施形態について図１から図１３を参照して説明する。
本実施形態は、例えば、電気自動車などの車両に設けられた充電インレット（「コネクタ」の一例）１０であって、車両に搭載された蓄電装置を充電する際に、図示しない充電コネクタが接続されるものである。
【００２２】
充電インレット１０は、図４に示すように、ハウジング２０と、ハウジング２０に収容される複数の端子３０と、複数の端子３０を抜け止めするリテーナ４０と、端子３０に接続される電線Ｗの温度を測定する温度センサ６０と、温度センサ６０を抜け止めするホルダ８０とを備えて構成されている。
【００２３】
ハウジング２０は合成樹脂製であって、図示しない相手側コネクタが嵌合可能な嵌合部２１を有している。嵌合部２１には、図１，４および図５に示すように、複数の端子３０が後方から収容される複数の端子収容部２２が設けられている。嵌合部２１の周囲には、図示しない車両のボディに取り付けられる平板状の取付部２３が設けられている。
【００２４】
取付部２３は、四隅が丸みを帯びた略矩形板状をなしている。取付部２３の四隅には、図示しない締結ボルトが挿通されるカラー２３Ａが設けられており、取付部２３の前面には、嵌合部２１を囲むように面シール部材２３Ｂが取り付けられている。
嵌合部２１は、図４に示すように、取付部２３を板厚方向である前後方向に貫通する配置で設けられており、各端子収容部２２は、嵌合部２１内において、略円筒状に形成されている。
【００２５】
図１に示すように、複数の端子収容部２２のうち、左右両側に配される端子収容部２２は、後述する電源端子３０Ａを収容する電源端子収容部２２Ａとされており、電源端子収容部２２Ａの間に配される端子収容部２２は、後述するアース端子３０Ｂを収容するアース端子収容部２２Ｂとされている。電源端子収容部２２Ａおよびアース端子収容部２２Ｂの上方に配される一対の端子収容部２２は、後述する信号端子３０Ｃを収容する信号端子収容部２２Ｃとされ、信号端子収容部２２Ｃは、電源端子収容部２２Ａおよびアース端子収容部２２Ｂよりも小径の端子収容部２２とされている。
【００２６】
各端子収容部２２に収容される端子３０は、導電性に優れた金属で形成されている。端子３０のうち、電源端子収容部２２Ａに収容される端子３０が電源用の電源端子３０Ａであって、アース端子収容部２２Ｂに収容される端子３０がアース用のアース端子３０Ｂとされている。また、信号端子収容部２２Ｃに収容される端子３０は、信号用の信号端子３０Ｃとされ、信号端子３０Ｃは、電源端子３０Ａおよびアース端子３０Ｂよりも小径の端子３０とされている。
【００２７】
なお、図４の端子３０は、電源端子３０Ａであって、各端子３０は、同様の構成であるため、電源端子３０Ａを代表として説明し、アース端子３０Ｂおよび信号端子３０Ｃの説明は省略する。
【００２８】
電源端子３０Ａは、図４に示すように、略円柱状の大径部３２と、大径部３２の外周面から環状に張り出すフランジ部３４と、大径部３２の前端から前方に延出する端子接続部３６と、大径部３２よりも小径な形態でフランジ部３４から後方に延びる小径部３３と、小径部３３の後端から後方に延出する電線接続部３８とを備えて構成されている。
【００２９】
端子接続部３６は、図示しない相手方端子が内部に嵌合される略円筒状をなしている。端子接続部３６には、前端から後方に向けて延びる複数のスリット３６Ａが設けられることで複数の弾性片３７が設けられている。端子接続部３６は、複数の弾性片３７の間に相手方端子が挿入されることで、各弾性片３７と相手方端子とが弾性的に接触し、相手方端子と電気的に接続されるようになっている。
【００３０】
電線接続部３８は、後方に開口する略円筒状のクローズドバレルであって、電線Ｗの芯線Ｗ１が電線接続部３８の内部に収容可能とされている。電線接続部３８の内部に芯線Ｗ１が収容された状態で圧着されることにより、電源端子３０Ａと電線Ｗとが電気的に接続されるようになっている。
【００３１】
各端子収容部２２において嵌合部２１の奥壁を貫通する位置よりも後側の部分は、図４に示すように、前側の部分に比べてやや拡径されている。電源端子収容部２２Ａにおいて径寸法が切り替わった位置は、電源端子３０Ａのフランジ部３４が後方から当接する前止まり部２４とされており、電源端子収容部２２Ａ内に端子３０を後方から挿入する際に、フランジ部３４が後方から当接することで、電源端子３０Ａが正規の端子組付位置に前止まりされるようになっている。
また、電源端子３０Ａが前止まりされて正規の端子組付位置に至ると、電源端子３０Ａの端子接続部３６および大径部３２とが電源端子収容部２２Ａ内に収容されると共に、電線Ｗが後方に引き出された電線接続部３８が電源端子収容部２２Ａから後方に突出した状態となる。
【００３２】
ハウジング２０は、嵌合部２１および取付部２３の下部から後方に延びるフード部２５を有している。フード部２５は、略円筒状をなしており、フード部２５の軸線は嵌合部２１の中心軸線に対して下方にずれた配置とされている。また、フード部２５の後端部には、各端子３０を抜け止めするリテーナ４０が装着可能とされている。
【００３３】
リテーナ４０は、円形板状のリテーナ本体４２と、リテーナ本体４２の外周縁部に設けられた外側周壁４４と、外側周壁４４の内側に配された内側周壁４６と、各端子収容部２２に対応するように設けられた複数の抜け止め筒部５０とを備えて構成されている。
【００３４】
外側周壁４４は、リテーナ本体４２の外周縁から前後に延びた形態をなしており、外側周壁４４においてリテーナ本体４２よりも前側の部分には、外方に弾性変形可能な複数のロック片４４Ａが設けられている。複数のロック片４４Ａは、周方向に等間隔に複数(本実施形態では４つ)設けられており、ハウジング２０のフード部２５の外周面において周方向に等間隔に設けられた複数(本実施形態では４つ)の係止部２５Ａに係止することでリテーナ４０をハウジング２０に固定する。
【００３５】
内側周壁４６は、図４に示すように、リテーナ本体４２から前方に延びた略円筒形状に形成されており、リテーナ本体４２の前面において外側周壁４４よりも内側に配されている。内側周壁４６の外周面には、環状のゴムリング４６Ａが嵌着されている。ゴムリング４６Ａは、リテーナ４０がハウジング２０に固定されると、フード部２５における後端部内周面に密着し、ハウジング２０とリテーナ４０との間をシールするようになっている。
【００３６】
各抜け止め筒部５０は、略円筒状に形成されている。抜け止め筒部５０は、リテーナ本体４２を前後方向に貫通するように形成されており、抜け止め筒部５０においてリテーナ本体４２よりも前側部分は前側筒部５１とされ、抜け止め筒部５０においてリテーナ本体４２よりも後側部分は後側筒部５２とされている。
【００３７】
前側筒部５１は、前後方向略中央部よりも前側部分がハウジング２０の端子収容部２２内に適合して嵌合されるようになっており、前側筒部５１が端子収容部２２内に嵌合されると、前側筒部５１内における前側の部分に端子３０の小径部３３が適合して嵌合され、前側筒部５１内における後側の部分に端子３０の電線接続部３８が収容されるようになっている。
【００３８】
また、前側筒部５１の前端部は、リテーナ４０がハウジング２０に固定されると、端子収容部２２内に収容された端子３０のフランジ部３４の直後に配され、前側筒部５１がフランジ部３４に対して後方から全周に亘って当接することで、端子３０を端子収容部２２内に抜け止め状態に保持する。
【００３９】
後側筒部５２は、リテーナ４０がハウジング２０に固定されると、電線接続部３８から後方に引き出された電線Ｗが収容され、後側筒部５２から後方に電線Ｗが引き出された状態となる。
【００４０】
複数の抜け止め筒部５０のうち、電源端子収容部２２Ａに対応する抜け止め筒部５０は電源端子用筒部５０Ａとされている。電源端子用筒部５０Ａの後側筒部５２Ａは、図５に示すように、上部が左右方向に水平に延びる平坦部５５とされており、電源端子用筒部５０Ａの後側筒部５２Ａ内には、温度センサ６０が収容可能なセンサ収容部５６が設けられている。
【００４１】
詳細には、電源端子用筒部５０Ａの後側筒部５２Ａにおける電線Ｗの上方には、背面視略矩形状に開口するセンサ挿入口５６Ａが設けられており、センサ挿入口５６Ａから温度センサ６０がセンサ収容部５６内に収容可能とされている。
【００４２】
温度センサ６０は、略方形のブロック状をなしており、図４に示すように、温度センサ６０の後面６０Ａからは一対の信号線６１が後方に引き出されている。温度センサ６０は、後側筒部５２Ａ内において、電線Ｗの延び方向に沿うようにして電線Ｗの絶縁被覆Ｗ２上に密着して配置される。これにより、電線Ｗの温度を精度よく測定することができるようになっている。
また、電源端子用筒部５０Ａの後端部には、温度センサ６０を抜け止めするホルダ８０が装着可能とされている。
【００４３】
ホルダ８０は、図３、図５から図１３に示すように、電源端子用筒部５０Ａの後方に配される抜止部本体８１と、抜止部本体８１から各電源端子用筒部５０Ａの外周面に沿うように前方に向かって延びる一対の周壁部９０とを備えて構成されている。
【００４４】
抜止部本体８１は、リテーナ４０における電源端子用筒部５０Ａおよびアース端子３０Ｂに対応する抜け止め筒部５０が配された領域に亘って左右方向に長い平板状をなしており、抜止部本体８１の左右両端部に略円形状に形成された一対の円形部８２と、一対の円形部８２を左右方向に直線的に連結する連結部８３とによって構成されている。
【００４５】
円形部８２は、略円形状をなしており、円形部８２の軸心には、電線Ｗが挿通される略円形状の電線挿通孔８４が形成されている。電線挿通孔８４は、電線Ｗが適合して挿通される大きさとされており、ホルダ８０がリテーナ４０の電源端子用筒部５０Ａに装着された際に、電線挿通孔８４から電線Ｗが後方に引き出されるようになっている。
円形部８２は、電源端子用筒部５０Ａの後端開口よりもやや大きい略円形状に形成されており、円形部８２の外周縁部に周壁部９０が設けられている。
【００４６】
周壁部９０は、図１２に示すように、円形部８２の下端部からもう一方の円形部８２側である内側の外周縁部まで半円状に延びる半円壁部９１と、円形部８２の上端部に設けられた平板壁部９２と、もう一方の円形部８２とは反対側である外側の縁部に設けられた取付片９３とによって略円筒状に設けられており、電源端子用筒部５０Ａの後端部にホルダ８０が装着される際には、図４に示すように、周壁部９０内に電源端子用筒部５０Ａの後側筒部５２Ａが適合して嵌合されるようになっている。
【００４７】
平板壁部９２は、円形部８２の上端縁から前方に平板状に延出された形態とされ、ホルダ８０がリテーナ４０に装着されると、電源端子用筒部５０Ａの平坦部５５上に配置され、ホルダ８０に対してリテーナ４０を安定して配置することができるようになっている。
【００４８】
取付片９３は、径方向外側に弾性変形可能に形成されている。取付片９３には、図２に示すように、前後方向に延びる係止孔９４が設けられており、係止孔９４には、電源端子用筒部５０Ａの後側筒部５２Ａの外面に設けられた係止突起５３が内側に嵌合可能とされている。
【００４９】
取付片９３は、ホルダ８０をリテーナ４０に装着する過程で、係止突起５３に乗り上げることで外側に弾性変形し、ホルダ８０がリテーナ４０に対して正規の装着位置に組み付けられると、係止突起５３が係止孔９４内に嵌合することで弾性復帰する。そして、係止突起５３と取付片９３とが前後方向に係止することでホルダ８０がリテーナ４０に対して固定されるようになっている。
【００５０】
円形部８２における電線挿通孔８４の下側縁には、図４に示すように、円形部８２から前方に延出する押当片８５が設けられている。押当片８５は、図１２に示すように、下面が僅かに丸みを帯びた正面視略矩形状をなす柱状に形成されており、図４に示すように、ホルダ８０がリテーナ４０に装着された際に、後側筒部５２Ａ内に進入するようになっている。
【００５１】
後側筒部５２Ａ内に進入した押当片８５は、電線Ｗの下面と後側筒部５２Ａの内周面との間に圧入気味に配置され、電線Ｗを温度センサ６０に向けて押し付ける役割を果たしている。よって、押当片８５に押圧された電線Ｗと温度センサ６０とが後側筒部５２Ａ内において密着する。したがって、温度センサ６０による電線Ｗの温度の測定精度を向上させることができる。
【００５２】
円形部８２における電線挿通孔８４の上方には、図３に示すように、温度センサ６０から後方に引き出される一対の信号線６１が挿通される信号線挿通孔８６が形成されている。信号線挿通孔８６は、略矩形状をなし、電線挿通孔８４と連通して設けられている。
【００５３】
信号線挿通孔８６は、温度センサ６０の後面６０Ａよりもやや小さい大きさに形成されており、ホルダ８０がリテーナ４０に装着されると、図４に示すように、信号線挿通孔８６の外周縁部が温度センサ６０の後面６０Ａと前後方向に係止可能となることにより、温度センサ６０がセンサ収容部５６から後方に抜け止めされるようになっている。なお、一対の信号線６１は、電線Ｗの上面に沿うようにして信号線挿通孔８６から後方に引き出されている。
【００５４】
連結部８３は、図３および図１２に示すように、一対の円形部８２において互いに隣り合う側の上半分を左右に連結した横長な形態とされている。連結部８３の上縁部には、左右方向に延びる平板状の庇部８７が設けられている。庇部８７は、一対の円形部８２における平板壁部９２の間を連結した形態とされており、庇部８７の前後方向の長さ寸法は、図７および図１０に示すように、平板壁部９２の前後方向の長さ寸法の半分程度とされている。
【００５５】
連結部８３の左右方向略中央部には、図３および図１２に示すように、アース端子収容部２２Ｂに対応する抜け止め筒部５０から後方に引き出された電線Ｗが挿通される挿通溝８８が設けられている。
挿通溝８８は、板厚方向に貫通すると共に下方に開口した形態とされており、挿通溝８８の下端開口から電線Ｗを挿通溝８８内に挿入することができるようになっている。また、挿通溝８８の下端開口における左右両側内壁間の距離は、電線Ｗの外径よりもやや小さく設定されており、挿通溝８８内に電線Ｗが挿入されると、挿通溝８８の下端開口から電線Ｗが下方に脱落することを抑制できるようになっている。
【００５６】
さて、ホルダ８０は、図６、図９および図１２に示すように、大まかには、円形部８２の一部によって構成される２つの小型分割体（「一方の分割体」の一例）７０と、円形部８２における残りの部分と連結部８３とによって構成される大型分割体（「他方の分割体」の一例）７５とを組み合わせることで構成されている。
【００５７】
詳細には、各小型分割体７０は、円形部８２のうちの電線挿通孔８４の内側（一対の円形部８２において互いに隣り合う側）の部分から押当片８５を含む電線挿通孔８４の下側の部分までの円形部８２の約１／４の部分とそれに連なる周壁部９０によって構成され、大型分割体７５は、それぞれの円形部８２のうちの小型分割体７０を除いた円形部８２の約３／４の部分とそれに連なる周壁部９０と連結部８３とによって構成されている。
【００５８】
各小型分割体７０は、略円弧状をなし、各小型分割体７０における一端部７０Ａが大型分割体７５とヒンジ７２を介して連結されている。
【００５９】
ヒンジ７２は、大型分割体７５の各円形部８２における下端部７５Ａの外周面７５Ｂと、小型分割体７０の一端部７０Ａの外周面７０Ｂ（円形部８２における下端面）とを繋いだ形態とされている。隣り合う小型分割体７０と大型分割体７５とは、ヒンジ７２を支点にヒンジ７２を屈曲させて小型分割体７０が回動するようになっている。ヒンジ７２を屈曲させ、小型分割体７０が正規の回動軌道に沿わせて変位すると、小型分割体７０における径方向に延びる一対の小型側対向面７３と大型分割体７５において径方向に延びる一対の大型側対向面７６とが近接するように配置され、ホルダ８０の円形部８２をそれぞれ構成される。
【００６０】
また、大型分割体７５において電線挿通孔８４を構成するそれぞれの部分は、大型分割体７５に小型分割体７０を組み付ける前の状態では、電線Ｗを配置する電線配置部７８とされている。つまり、大型分割体７５は、電線配置部７８を複数有しており、大型分割体７５のそれぞれの電線配置部７８に電線Ｗを配置してそれぞれの小型分割体７０を電線配置部７８と対向するように大型分割体７５に組み付けることで各電線Ｗがそれぞれの電線挿通孔８４に挿通された状態で円形部８２を構成することができるようになっている。
【００６１】
小型分割体７０においてヒンジ７２が設けられた一端部７０Ａとは反対側の他端部７０Ｃにおける周壁部９０の外周面９０Ａには、片持ち状に延びる弾性係止片９５が設けられている。弾性係止片９５は、小型分割体７０の周壁部９０から大型分割体７５の円形部８２における周壁部９０の外周面９０Ａに沿うように円弧状に延出した形態とされており、弾性係止片９５は、弾性係止片９５の基端部を支点に径方向の内側および外側に向かって弾性変形可能とされている。
【００６２】
弾性係止片９５の先端部には、径方向外側に突出する係止突起９６が形成されている。係止突起９６は、弾性係止片９５の先端から基端部に向かうほど外側に傾斜する傾斜面９６Ａと、弾性係止片９５から離れるように径方向外側に向かって延びる係止面９６Ｂとを有しており、係止面９６Ｂは、後述する被係止枠９８と係止する。
【００６３】
また、小型分割体７０においてヒンジ７２が設けられた一端部７０Ａには、図１および図９に示すように、大型分割体７５に向かって突出する補助ガイド部９７が設けられている。この補助ガイド部９７は、小型分割体７０の後面７０Ｅから後方に突出したブロック状をなしており、補助ガイド部９７において小型分割体７０から突出した部分の前面は、図８に示すように、小型分割体７０の後面７０Ｅおよび大型分割体７５の後面７５Ｃと面一となる位置決め面９７Ａとされている。
【００６４】
位置決め面９７Ａは、大型分割体７５に小型分割体７０を組み付ける過程の初期段階で、大型分割体７５において小型分割体７０の回動方向と直交する後面７５Ｃと摺動して小型分割体７０を大型分割体７５に対して前方向に位置ずれしない正規の組付位置に位置決めすることができるようになっている。
【００６５】
一方、小型分割体７０においてヒンジ７２が設けられた一端部７０Ａとは反対側の他端部７０Ｃの縁部と、これに対応する大型分割体７５の縁部には、前側と後側とで合わせ面が上下にずれた上下一対の位置ずれ防止部７７がそれぞれ設けられている。詳細には、図６に示すように、大型分割体７５の合わせ位置には、後側（紙面奥側）に配された後側位置ずれ防止部７７Ａが形成されており、小型分割体７０の合わせ位置には、前側（紙面手前側）に配された前側位置ずれ防止部７７Ｂが形成されている。
【００６６】
前側および後側位置ずれ防止部７７Ａ，７７Ｂは、大型分割体７５に小型分割体７０を組み付ける過程において、補助ガイド部９７の位置決め面９７Ａが大型分割体７５の後面７５Ｃと摺動し始めたところで、図１１に示すように、大型分割体７５の後側位置ずれ防止部７７Ａと小型分割体７０の前側位置ずれ防止部７７Ｂとが互いを組み付ける方向と交差する前後方向に組み合わされ、小型分割体７０および大型分割体７５が互いに前後方向に位置ずれしないように位置決めできるようになっている。
【００６７】
また、大型分割体７５の円形部８２における内側の周壁部９０の上端部には、連結部８３に連なる被係止枠９８がそれぞれ設けられている。
被係止枠９８は、周壁部９０（の後部）から斜め内側に向かって延出された傾斜部９８Ａと、傾斜部９８Ａの上端から上方に延びて庇部８７に連結される垂直部９８Ｂとを備えて構成されている。
【００６８】
垂直部９８Ｂは、庇部８７から下方に真っ直ぐ延びており、庇部８７の下端部は、連結部８３の前面８３Ａから前方に突出するように形成された板状の突出片８９に連なっている。突出片８９は、垂直部９８Ｂの下端部から傾斜部９８Ａとは反対側である内側に向かうほど下方に傾斜した形態とされている。
【００６９】
傾斜部９８Ａは、周壁部９０における前後方向略中央部よりも後側の部分に連なると共に、突出片８９の上端部と連なっており、傾斜部９８Ａは、周壁部９０の上端部と突出片８９の上端部とによって前後方向に延びる被係止枠９８を構成している。
【００７０】
被係止枠９８には、ヒンジ７２を支点に小型分割体７０を回動させて、正規の回動軌道に沿わせるようにして小型分割体７０を大型分割体７５に組み付ける過程で、弾性係止片９５の係止突起９６が嵌合されるようになっている。
詳細には、被係止枠９８は、弾性係止片９５の係止突起９６が嵌合される嵌合孔９８Ｃを有しており、大型分割体７５に小型分割体７０を組み付ける過程で、弾性係止片９５の係止突起９６が嵌合孔９８Ｃに進入すると、係止突起９６が被係止枠９８を構成する突出片８９に当接して弾性係止片９５が径方向内側に弾性変位する。そして、大型分割体７５と小型分割体７０とによって円形部８２が構成されて、弾性係止片９５の係止突起９６が被係止枠９８の嵌合孔９８Ｃ内に嵌まり込むと、係止突起９６の係止面９６Ｂと、被係止枠９８における突出片８９の上端縁８９Ａとが係止することで、小型分割体７０が大型分割体７５に対して組み付けられた状態に固定される。
【００７１】
また、被係止枠９８を構成する突出片８９の下面は、上方に向かうほど被係止枠９８に向かって傾斜するガイド面（「ガイド部」の一例）８９Ｂとされており、大型分割体７５に小型分割体７０を組み付ける過程で、ヒンジ７２が正規とは異なる不正に屈曲したり、弾性係止片９５が不正に弾性変形したりすることで、弾性係止片９５が径方向外側に僅かに位置ずれした場合でも、弾性係止片９５の係止突起９６をガイド面８９Ｂによって被係止枠９８内に案内することができるようになっている。
【００７２】
本実施形態は、以上のような構成であって、続いて、充電インレット１０の組み立て方法を簡単に説明すると共に、その作用および効果について説明する。
【００７３】
まず、充電インレット１０の組み立てにあたっては、リテーナ４０の各抜け止め筒部５０に電線Ｗを挿通させておき、端子３０の電線接続部３８に電線Ｗの芯線Ｗ１を挿入し圧着する。この後、各端子３０をハウジング２０の対応する端子収容部２２に後方から挿入し、リテーナ４０をハウジング２０のフード部２５に後方から装着する。すると、リテーナ４０の抜け止め筒部５０が端子３０のフランジ部３４に後方から当接することにより端子３０の抜け止めが行われ、リテーナ４０のそれぞれのロック片４４Ａとフード部２５の外周面におけるそれぞれの係止部２５Ａとが係止することによりリテーナ４０がハウジング２０に装着されて保持される。
【００７４】
次に、ホルダ８０をリテーナ４０に装着する。ここで、ホルダ８０は、まず、大型分割体７５に２つの小型分割体７０を組み付けて構成される。
【００７５】
詳細には、大型分割体７５に小型分割体７０が組み付けられる前の状態において、信号線挿通孔８６内に、温度センサ６０から引き出された一対の信号線６１を配置し、ホルダ８０の大型分割体７５におけるそれぞれの電線配置部７８に電源端子３０Ａに接続された電線Ｗを配置する。また、温度センサ６０を、電線Ｗの絶縁被覆Ｗ２上に密着して配置する。
【００７６】
各電線配置部７８に電線Ｗが配置されたところで、ヒンジ７２を支点にヒンジ７２を屈曲させて小型分割体７０を回動させる。
小型分割体７０を回動させて、大型分割体７５に小型分割体７０を組み付ける過程では、初期の段階において、小型分割体７０における補助ガイド部９７の位置決め面９７Ａが大型分割体７５の後面７５Ｃと摺動し、小型分割体７０が大型分割体７５に対して前方向に位置ずれしないように位置決めされる。
【００７７】
つまり、本実施形態によると、補助ガイド部９７が小型分割体７０のヒンジ７２側の一端部７０Ａに設けられているから、例えば、補助ガイド部がヒンジから離れた側の端部に設けられる場合に比べて、初期の段階から位置決め面９７Ａを大型分割体７５の後面７５Ｃと摺動させて、小型分割体７０を大型分割体７５に対して前方向に位置ずれしないように正規の組付位置に位置決めすることができる。
【００７８】
そして、補助ガイド部９７の位置決め面９７Ａと大型分割体７５の後面７５Ｃとの摺動が開始されると、小型分割体７０の弾性係止片９５における係止突起９６が被係止枠９８内に進入し始める。
【００７９】
次に、補助ガイド部９７の位置決め面９７Ａと大型分割体７５の後面７５Ｃとの摺動が開始され、弾性係止片９５における係止突起９６が被係止枠９８内に進入し始めたところで、大型分割体７５の後側位置ずれ防止部７７Ａと小型分割体７０の前側位置ずれ防止部７７Ｂとが前後方向に組み合わされ、小型分割体７０と大型分割体７５とが互いに前後方向に位置ずれしないように位置決めされる。
【００８０】
そして、小型分割体７０の一対の小型側対向面７３と大型分割体７５の一対の大型側対向面７６とがそれぞれ近接する位置まで小型分割体７０を大型分割体７５に組み付けると、ホルダ８０の円形部８２がそれぞれ構成されて、円形部８２の電線挿通孔８４に電線Ｗが挿通された状態となり、被係止枠９８における突出片８９の上端縁８９Ａと係止突起９６の係止面９６Ｂとが係止することで、小型分割体７０が大型分割体７５に対して組み付けられた状態に固定される。
【００８１】
つまり、ホルダ８０の円形部８２における信号線挿通孔８６や電線挿通孔８４に対して温度センサ６０の信号線６１や電源端子３０Ａに接続された電線Ｗを先通しする作業をしなくとも、信号線６１および電線Ｗを信号線挿通孔８６および電線挿通孔８４に挿通させたホルダ８０を容易に構成することができる。
【００８２】
ところで、大型分割体７５に小型分割体７０を組み付ける過程において、補助ガイド部９７の位置決め面９７Ａと大型分割体７５の後面７５Ｃとが摺動して小型分割体７０が大型分割体７５に対して前方向に位置ずれしないものの、図１１の右側の小型分割体７０のように、ヒンジ７２が正規とは異なる不正に屈曲し、小型分割体７０が正規の回動軌道から外れて弾性係止片９５が径方向外側に僅かに位置ずれした場合には、突出片８９の下面であるガイド面８９Ｂが弾性係止片９５の係止突起９６を被係止枠９８内である正規の組付位置に案内し、被係止枠９８における突出片８９の上端縁８９Ａと係止突起９６の係止面９６Ｂとを係止させることができる。
【００８３】
これにより、ヒンジ７２が正規とは異なる不正に屈曲したり、弾性係止片９５が不正に弾性変形したりした場合においても、大型分割体７５に対して小型分割体７０を固定することができ、温度センサ６０の信号線６１や電源端子３０Ａに接続された電線Ｗが挿通させたホルダ８０を構成することができる。
【００８４】
信号線６１および電線Ｗが挿通されたホルダ８０を構成したところで、ホルダ８０の周壁部９０内に電源端子用筒部５０Ａの後側筒部５２Ａを嵌合させる。すると、ホルダ８０が正規の装着位置に組み付けられたところで、電源端子用筒部５０Ａにおける後側筒部５２Ａの係止突起５３がホルダ８０の取付片９３の係止孔９４内に嵌合し、係止突起５３と取付片９３とが前後方向に係止することでホルダ８０がリテーナ４０の電源端子用筒部５０Ａに対して固定される。
【００８５】
また、ホルダ８０の押当片８５は、ホルダ８０の周壁部９０内に電源端子用筒部５０Ａの後側筒部５２Ａを嵌合させる過程で、後側筒部５２Ａ内に進入し、電線Ｗの下面と後側筒部５２Ａの内周面との間に圧入気味に配置される。よって、押当片８５に押圧された電線Ｗと温度センサ６０とが後側筒部５２Ａ内において密着する。したがって、温度センサ６０による電線Ｗの温度の測定精度を向上させることができる。
【００８６】
また、ホルダ８０がリテーナ４０の電源端子用筒部５０Ａに対して固定されると、図４に示すように、抜止部本体８１の円形部８２における信号線挿通孔８６の外周縁部が温度センサ６０の後面６０Ａと前後方向に係止可能となり、温度センサ６０がセンサ収容部５６から後方に抜け止めされる。
【００８７】
以上のように本実施形態によると、大型分割体７５に小型分割体７０を組み付けられる前の状態において、信号線挿通孔８６内に、温度センサ６０の信号線６１を配置すると共に、電線配置部７８に電源端子３０Ａに接続された電線Ｗを配置して小型分割体７０を大型分割体７５に組み付けてホルダ８０を構成するから、例えば、信号線挿通孔および電線挿通孔に信号線や電線を先通しする先通し作業をする場合に比べて、温度センサ６０や電線Ｗの組み付け作業を簡素化することができる。また、本実施形態によると、大型分割体７５に設けられた２つの電線配置部に電線をそれぞれ配置することができるから、例えば、一方の分割体と他方の分割体とがそれぞれ１対１で対応して設けられている場合に比べて、部品点数を少なくすることができ、ホルダ８０の組み付け作業を簡素化することができる。
【００８８】
また、本実施形態によると、小型分割体７０を大型分割体７５に組み付ける過程において、ヒンジ７２が不正に屈曲したり、弾性係止片９５が不正に弾性変形したりして小型分割体７０が正規の回動軌道から外れることで、弾性係止片９５が位置ずれした場合でも、小型分割体７０の弾性係止片９５の係止突起９６を大型分割体７５における突出片８９のガイド面８９Ｂによって被係止枠９８の嵌合孔９８Ｃ内に案内して小型分割体７０を正規の組付位置に至らしめることができ、係止突起９６の係止面９６Ｂと被係止枠９８における突出片８９の上端縁８９Ａとを係止させてホルダ８０を構成させることができる。これにより、温度センサ６０の抜け止めを図り、温度センサ６０による電線Ｗの温度の測定精度を向上させることができる。
【００８９】
また、本実施形態によると、小型分割体７０を大型分割体７５に小型分割体７０を組み付ける初期の段階において、小型分割体７０における補助ガイド部９７の位置決め面９７Ａと大型分割体７５の後面７５Ｃとを摺動させて小型分割体７０が大型分割体７５に対して前方向に位置ずれしない正規の組付位置に位置決めすることができる。
【００９０】
また、補助ガイド部９７の位置決め面９７Ａと大型分割体７５の後面７５Ｃとの摺動が開始され、弾性係止片９５における係止突起９６が被係止枠９８内に進入し始めたところで、大型分割体７５の後側位置ずれ防止部７７Ａと小型分割体７０の前側位置ずれ防止部７７Ｂとが前後方向に組み合わされ、小型分割体７０と大型分割体７５とが互いに前後方向に位置ずれしないように位置決めされる。
【００９１】
すなわち、本実施形態によると、小型分割体７０を大型分割体７５に組み付ける際に、小型分割体７０が径方向外側に位置ずれする場合だけでなく、小型分割体７０が前後方向にも位置ずれしないように予め位置決めしてホルダ８０を構成することができる。
【００９２】
＜他の実施形態＞
本明細書で開示される技術は上記記述及び図面によって説明した実施形態に限定されるものではなく、例えば次のような種々の態様も含まれる。
【００９３】
（１）上記実施形態では、大型分割体７５に対して２つの小型分割体７０を組み付けてホルダ８０を構成した。しかしながら、これに限らず、一対の分割体を互いに組み付けて、ホルダを構成してもよく、同一の大きさの３つの分割体を互いに組み付けて、ホルダを構成してもよい。
【００９４】
（２）上記実施形態では、弾性係止片９５における係止突起９６が被係止枠９８内に進入し始めたところで、大型分割体７５の後側位置ずれ防止部７７Ａと小型分割体７０の前側位置ずれ防止部７７Ｂとが前後方向に組み合わされる構成とした。しかしながら、これに限らず、弾性係止片９５における係止突起９６が被係止枠９８内に進入する前に、大型分割体の前側位置ずれ防止部と小型分割体の後側位置ずれ防止部とが前後方向に組み合わされる構成にしてもよい。
【００９５】
（３）上記実施形態では、一対の円形部８２と、一対の円形部８２を左右方向に直線的に連結する連結部８３とによって抜止部本体８１を構成した。しかしながら、これに限らず、一対の円形部と、一対の円形部を山型状やアーチ状の連結部によって抜止部本体を構成してもよい。
【符号の説明】
【００９６】
１０：充電インレット（「コネクタ」の一例）
２０：ハウジング
３０：端子
４０：リテーナ
５６：センサ収容部
６０：温度センサ
７０：小型分割体（「一方の分割体」の一例）
７２：ヒンジ
７５：大型分割体（「他方の分割体」の一例）
７７：位置ずれ防止部
７８：電線配置部
８０：ホルダ
８９Ｂ：ガイド面（「ガイド部」の一例）
９５：弾性係止片
９７：補助ガイド部
９８：被係止枠
Ｗ：電線
【図１】
2019114517.tif 000003
【図２】
2019114517.tif 000004
【図３】
2019114517.tif 000005
【図４】
2019114517.tif 000006
【図５】
2019114517.tif 000007
【図６】
2019114517.tif 000008
【図７】
2019114517.tif 000009
【図８】
2019114517.tif 000010
【図９】
2019114517.tif 000011
【図１０】
2019114517.tif 000012
【図１１】
2019114517.tif 000013
【図１２】
2019114517.tif 000014
【図１３】
2019114517.tif 000015
【手続補正書】
【提出日】平成30年10月24日(2018.10.24)
【手続補正１】
【補正対象書類名】明細書
【補正対象項目名】００１２
【補正方法】変更
【補正の内容】
【００１２】
このような構成によると、弾性変形可能な弾性係止片を被係止枠内に案内し、弾性係止片と被係合枠とを係止させることができる。すなわち、ヒンジが不正に屈曲したり、弾性係止片が不正に弾性変形したりすることにより、弾性係止片が位置ずれし易い場合であっても、隣り合う分割体を正しく組み付けることができ、温度センサの抜け止めを図ることができる。
【手続補正２】
【補正対象書類名】明細書
【補正対象項目名】００８９
【補正方法】変更
【補正の内容】
【００８９】
また、本実施形態によると、小型分割体７０を大型分割体７５に組み付ける初期の段階において、小型分割体７０における補助ガイド部９７の位置決め面９７Ａと大型分割体７５の後面７５Ｃとを摺動させて小型分割体７０が大型分割体７５に対して前方向に位置ずれしない正規の組付位置に位置決めすることができる。